(57)【要約】      （修正有）【課題】耐水性、耐久性及び安全性に優れ、また地球環境にも優しいＭＤＦ板の積層体からなる手摺を提供する。【解決手段】ＭＤＦ板の単板を接着剤により２枚以上積層接着した積層体を切削加工して表面に複数のコブ状凸部２、２が形成された手摺本体１とする。この手摺本体１の表面に、ウレタン系樹脂、メラミン系樹脂、ポリエステル系樹脂、漆の１種または２種以上を含浸あるいは塗布した。前記コブ状凸部２は、手摺本体１の軸心に沿って任意の位置に、あるいは規則的に形成されたものとすることができる。【選択図】図１
0003168823.tif 000002
【実用新案登録請求の範囲】
【請求項１】
ＭＤＦ板の単板を接着剤により２枚以上積層接着した積層体を切削加工して表面に複数のコブ状凸部が形成された手摺本体の表面に、ウレタン系樹脂、メラミン系樹脂、ポリエステル系樹脂、漆の１種または２種以上を含浸あるいは塗布したことを特徴とするＭＤＦ板の積層体からなる手摺。
【請求項２】
コブ状凸部は、手摺本体の軸心に沿って任意の位置に、あるいは規則的に形成されている請求項１に記載のＭＤＦ板の積層体からなる手摺。
【請求項３】
接着剤は、耐水性を有した木質材用接着剤である請求項１または２に記載のＭＤＦ板の積層体からなる手摺。
【考案の詳細な説明】
【技術分野】
【０００１】
本考案は、耐水性、耐久性及び安全性に優れ、また地球環境にも優しいＭＤＦ板の積層体からなる手摺に関するものである。
【背景技術】
【０００２】
従来から、階段やスロープ等に使用される手摺としては耐久性や耐水性に優れたステンレスやアルミニウムのストレートな金属パイプ製のものが多く使われている。しかし、このような金属パイプ製の手摺は丈夫で安価であるが、掴み難い、掴んだ時に手が滑りやすく力も入れ難い、また掴んだ時に冷たい感触がある等の問題があり、更には、デザイン性に乏しいという問題もあった。
【０００３】
一方、最近では高齢化社会を迎え、従来の金属パイプ製の手摺に代えて、手触りの感触に優れており、高級感や風合いがあり、また温かみがあって人に優しい木製の手摺の需要が高まりつつある。しかしながら、天然木の場合は長期間使用しているとササクレやトゲが発生して危険であるという問題や、機械的強度に劣るという問題や、生産コストが高くなるという問題があった。
【０００４】
前記天然木に代わる木質材として、廃棄木材チップ等を細かく綿状に解繊した繊維を接着剤と共に熱圧成板した中質繊維板（ミディアム・デンシティ・ファイバーボード、以下、ＭＤＦ板と称する）を利用した各種の製品の開発がなされており、例えば、特許文献１や特許文献２が提案されている。このＭＤＦ板は、環境保護及び省エネルギーの観点からも優れたものである。
しかしながら、前記ＭＤＦ板は、水分の吸い込みによる膨張、狂い、木口割れを生じるという問題や、所定以上の強度を必要とする用途には使用できないという問題があるため、高い耐水性、耐久性、安全性が要求される手摺には、ＭＤＦ板を適用することは困難であった。
【先行技術文献】
【特許文献】
【０００５】
【特許文献１】特開平６−２７２３６６号公報
【特許文献２】特開２００１−３２５１５号公報
【考案の概要】
【考案が解決しようとする課題】
【０００６】
本考案は上記のような問題点を解決して、木質模様を有しデザイン性に優れており、また自然の温かみや風合いがあり、また耐水性、耐久性及び安全性にも優れており、更には地球環境保護及び省エネルギーの観点からも優れているＭＤＦ板の積層体からなる手摺を提供することを目的として完成されたものである。
【課題を解決するための手段】
【０００７】
上記課題を解決するためになされた本考案のＭＤＦ板の積層体からなる手摺は、ＭＤＦ板の単板を接着剤により２枚以上積層接着した積層体を切削加工して表面に複数のコブ状凸部が形成された手摺本体の表面に、ウレタン系樹脂、メラミン系樹脂、ポリエステル系樹脂、漆の１種または２種以上を含浸あるいは塗布したことを特徴とするものである。
【０００８】
前記コブ状凸部は、手摺本体の軸心に沿って任意の位置に、あるいは規則的に形成されているのが好ましく、これを請求項２に係る考案とする。また、前記接着剤は耐水性を有した木質材用接着剤が好ましく、これを請求項３に係る考案とする。
【考案の効果】
【０００９】
請求項１に係る考案では、ＭＤＦ板の単板を接着剤により２枚以上積層接着した積層体を切削加工して表面に複数のコブ状凸部が形成された手摺本体の表面に、ウレタン系樹脂、メラミン系樹脂、ポリエステル系樹脂、漆の１種または２種以上を含浸あるいは塗布したので、ササクレやトゲが発生せず安全であり、また耐水性、耐久性及び機械的強度に優れて長時間の使用に耐える手摺を提供することができ、また木質材で作られているので自然の温かみや風合いがありデザイン的にも優れている。また、コブ状凸部があるため、すべりにくくなり、手で握った際に力を入れやすくなり、安全性を高めることできる。更に、間伐材や廃棄木材等を原料とするため地球環境保護の観点からも好ましく、木材資源の有効活用も図ることができる。
【００１０】
請求項２に係る考案では、前記コブ状凸部が、手摺本体の軸心に沿って任意の位置に、あるいは規則的に形成されているので、掴みやすくて滑りにくい形状となっており、特に力の弱いお年寄りには力の重点を置きやすく使い勝手がよくなる。
【００１１】
請求項３に係る考案では、接着剤は、耐水性を有した木質材用接着剤であり、ＭＤＦ板を強固に接着することができ、その後の積層体の切削加工等を容易に行うことができ、任意の形状に加工することができる。
【図面の簡単な説明】
【００１２】
【図１】本考案の実施の形態を示す斜視図である。
【図２】図１の正面図である。
【図３】本考案の使用状態を示す斜視図である。
【図４】複数枚のＭＤＦ板を積層接着した積層体を示す斜視図である。
【図５】複数枚のＭＤＦ板を積層接着したその他の積層体を示す斜視図である。
【図６】複数枚のＭＤＦ板を積層接着したその他の積層体を示す斜視図である。
【図７】コブ状凸部を示す拡大断面図である。
【考案を実施するための形態】
【００１３】
以下に、図面を参照しつつ本考案の好ましい実施の形態を示す。
図１は本考案の手摺を示す斜視図、図２はその正面図、図３は使用状態を示す斜視図である。本考案の手摺は、ＭＤＦ板の単板を接着剤により２枚以上積層接着した積層体を切削加工して表面に複数のコブ状凸部２、２が形成された手摺本体１の表面に、ウレタン系樹脂、メラミン系樹脂、ポリエステル系樹脂、漆の１種または２種以上を含浸あるいは塗布した構造となっている。
【００１４】
前記ＭＤＦ板は、木材チップを細かく綿状に解繊した繊維を接着剤と共に熱圧成板した木質繊維板であり、軽量で高い強度を有しているので、各種建築用材料や家具製品等として使用されている。また、ＭＤＦ板は、素材として間伐材や廃棄木材等を利用できるという優れた特徴を有しており、更には、使用後細かく砕き土に戻すとバクテリア等が分解し土に蘇ることができる再生可能な材料であるため、資源の循環型社会に大きく貢献するものであり、森林資源の有効活用、或いは世界的な森林資源の枯渇等の地球環境問題を考慮して注目されている素材である。
【００１５】
本考案では、前記ＭＤＦ板１０の単板を接着剤により２枚以上積層接着して積層体１１を形成し、この積層体１１を切削加工して表面に複数のコブ状凸部２が形成された木質の手摺本体１としている。
前記積層体１１は、例えば図４に示すように、ＭＤＦ板１０の単板を水平方向に積層したものや、図５に示すように、ＭＤＦ板１０の単板を水平方向に積層したものと縦方向に並べて積層したものとを側面で接着したものや、図６に示すように、ＭＤＦ板１０の単板を水平方向に積層したものと、縦方向に並べて積層したものとを上下方向で一体接着したもの等や、その他、ＭＤＦ板１０の単板を任意に組み合わせて積層することができる。また、積層体１１の長さも手摺の長さに対応させて任意の長さとすることができる。
【００１６】
なお、前記接着剤としては、例えば、水性高分子イソシアネート系接着剤のような耐水性を有した木質材用接着剤を用いることが好ましい。
【００１７】
このように、２枚以上のＭＤＦ板１０を接着剤で結合し積層することにより、より強度が増し、長時間の使用に耐えることが可能となった。また、天然木に有りがちなゆがみ、ねじれ、割れ等を回避し、またササクレやトゲが発生せず安全であり、そのうえ自然木と変わらない感触及び木質模様を有し、かつ強度・粘り強さが天然木の１．５〜３倍にも達するといった優れた効果を発揮することができる。更に、ＭＤＦ板１０の単板を複数枚積層接着することで大きなブロック体とすることができ、様々な形状に容易に加工できて意匠性に富んだ形状の手摺を小ロット・低コストで生産できることとなる。
【００１８】
前記のようにして得られた積層体１１は、切削加工等が施されて表面に複数のコブ状凸部２が形成された手摺本体１とされる。
図７に示すように、手摺本体１の直径（Ｄ）は約３０〜５０ｍｍ程度であり、手摺本体１の軸心に沿い、かつその表面の任意の位置にランダムに複数のコブ状凸部２が形成されている。このコブ状凸部２の高さ（Ｈ）は約５〜１５ｍｍ、幅（Ｗ）は約３０〜７０ｍｍ程度である。このコブ状凸部２は、いろいろな大きさのものをランダムに形成すると自然木の風合いとなり好ましいが、その他、等間隔で所定位置に規則的に形成することもできる。
前記コブ状凸部２により、掴みやすく、掴んだときに力を入れやすく、またコブ状凸部２がストッパになって手が滑り難い。また、上りでは手摺側に体を引き付けやすく、下りでは体をしっかりと支えることができ、使い勝手に優れたものとなり、特に力の弱いお年寄りには力の重点を置きやすく使い勝手がよくなる。
【００１９】
このようにして得た手摺本体１の表面には、ウレタン系樹脂、メラミン系樹脂、ポリエステル系樹脂、漆の１種または２種以上が含浸あるいは塗布されている。
これにより、水や湿気に対しても安定していて耐水性及び耐久性を一層高めることができるため、手摺の使用にも供することが可能である。また、前記の塗装する樹脂等は透明であるため、木質模様が発現していてデザイン的にも優れたものとなっている。なお、このウレタン系樹脂等の塗布等により、強度も約１６０ｋｇ／ｃｍ２以上に増加させることができ、天然木よりも強度的に優れた製品を得ることが可能となる。更には、高い耐水性及び耐久性を有するため、日々の清掃も容易になるという効果もある。
【００２０】
以上の説明からも明らかなように、本考案は素材と成るＭＤＦ板が、木材チップを細かく綿状に解繊したものなので、幼年木や間伐材をも利用でき、森林資源の有効利用ができるものである。また、本考案は、ＭＤＦ板の単板を接着剤により２枚以上積層接着した積層体として強度を増加させており、更に切削加工して表面に複数のコブ状凸部が形成された手摺本体の表面に、ウレタン系樹脂等を含浸或いは塗布することで一層の強度増を図っている。その結果、天然木よりも耐水性、耐久性、強度性に優れた製品を得ることが可能となった。また、ＭＤＦ板を使用しているので、空隙が形成されており各種溶剤等が含浸、浸透しやすく、強度等の均一化が図れ、天然木特有の割れ、狂い、歪み、虫食い等が一切生じることがなく、またササクレやトゲが生じることもなく安全である。更に、木質繊維板を積層使用しているので、年輪のような模様を必要に応じて様々な形状で創出することができて天然木の美しさを得ることができ、また触れた時の感触も天然木と同様に自然の温かみを感じることができる等の種々の効果を発揮することができる。
【符号の説明】
【００２１】
１  手摺本体
２  コブ状凸部
１０  ＭＤＦ板
１１  積層体
【図１】
0003168823.tif 000003
【図２】
0003168823.tif 000004
【図３】
0003168823.tif 000005
【図４】
0003168823.tif 000006
【図５】
0003168823.tif 000007
【図６】
0003168823.tif 000008
【図７】
0003168823.tif 000009